(57)【要約】【課題】衝撃防止機能を有する自在スパナを提供する。【解決手段】シャンク部と、ヘッド部と、可動あごと、緩衝具と、調節装置と、を含む。ヘッド部をシャンク部一端に取り付けていて、かつ固定あごと、滑り溝と、収容溝と、を含む。滑り溝と収容溝が互いに連絡されている。可動あごは軸線に沿って、滑り移動自在に滑り溝に取り付け、かつ固定あごに対して移動でき、可動あごは第１側と、第１側の反対方向にある第２側とを有し、第１側は固定あごと対向し、可動あごは挟持部と、制動部と、第１接続部とを含む、挟持部と、制動部がそれぞれ可動あごの異なる両端に位置しており、第１接続部を制動部に取り付けて、可動あごの第２側に位置する。緩衝具は、緩衝部と、緩衝部の反対側の第２接続部とを含む、第２接続部は離脱自在にて第１接続部に接続し、可動あごが直接に障害物にぶつかることを避ける。調節装置は可動にヘッド部の収容溝に取り付けていて、かつウォーム歯車を有し、ウォーム歯車と制動部が互いに係合されている。【選択図】図２
2017052012.tif 000002
【特許請求の範囲】
【請求項１】
把持部と、ヘッド部と、可動あごと、緩衝具と、調節装置とを備えた、衝撃防止機能を有する自在スパナであって、
前記把持部と、
前記ヘッド部を前記把持部の一端に設けていて、かつ前記ヘッド部に固定あごと、滑り溝と、受け入れ溝とを含む、前記滑り溝と前記受け入れ溝が互いに連絡され、
前記可動あごは軸線に沿って、滑り移動自在にて前記ヘッド部の前記滑り溝に取り付けていて、かつ前記固定あごに対向して移動でき、前記可動あごは第１側と前記第１側に対向する第２側とを有し、前記第１側は前記ヘッド部の前記固定あごに対向し、前記可動あごは挟持部と、制動部と、第１接続部とを含む、前記挟持部と、前記制動部はそれぞれ前記可動あごの異なる両端に位置し、前記第１接続部を前記制動部に取り付けて、かつ前記第２側に位置し、
前記緩衝具は前記緩衝部と、前記緩衝部の反対側にある第２接続部とを含む、前記第２接続部は離脱自在にて前記可動あごの前記第１接続部に接続でき、
前記調節装置は可動に前記受け入れ溝に収容していて、かつウォーム歯車を有し、前記ウォーム歯車と、前記可動あごの前記制動部が互いに係合することを特徴とする、衝撃防止機能を有する自在スパナ。
【請求項２】
そのうち、前記緩衝具は非金属部材から仕上げることを特徴とする、請求項１記載の衝撃防止機能を有する自在スパナ。
【請求項３】
そのうち、前記緩衝具は弾性部材から仕上げることを特徴とする、請求項１記載の衝撃防止機能を有する自在スパナ。
【請求項４】
そのうち、前記緩衝部と、前記第２接続部とを一体にして接続することを特徴とする、請求項１記載の衝撃防止機能を有する自在スパナ。
【請求項５】
そのうち、前記可動あご前記制動部が軸線に沿って、第１幅を有し、前記緩衝具の前記緩衝部が軸線に沿って、第２幅を有し、前記第１幅が前記第２幅より大きいことを特徴とする、請求項１ないし４のいずれかに記載の衝撃防止機能を有する自在スパナ。
【請求項６】
そのうち、前記第１幅と前記第２幅との比例値は５．５を下らないことを特徴とする、請求項１記載の衝撃防止機能を有する自在スパナ。
【請求項７】
そのうち、前記第１幅と前記第２幅との比例値は５を下らないことを特徴とする、請求項１記載の衝撃防止機能を有する自在スパナ。
【請求項８】
そのうち、前記可動あごの前記第１接続部は孔部を設けていて、かつ軸線に沿って、前記可動あごの前記第２側から前記第１側に向かって伸ばし、前記緩衝具の前記第２接続部は前記突起部を形成していて、かつ軸線に沿って前記緩衝具の前記緩衝部より伸ばして、前記可動あごの前記第１接続部と釣り合いを形成することを特徴とする、請求項１ないし４のいずれかに記載の衝撃防止機能を有する自在スパナ。
【請求項９】
そのうち、前記第１接続部は、第１ねじ山を有し、前記第１ねじ山を前記第１接続部の内周面に取り付け、前記第２接続部は前記第１ねじ山に対応する第２ねじ山を有し、前記第２ねじ山を前記第２接続部の外周面に取り付けることを特徴とする、請求項８記載の衝撃防止機能を有する自在スパナ。
【請求項１０】
そのうち、前記緩衝部は軸線の垂直方向にそって、半円形の横断面を有することを特徴とする、請求項１ないし４のいずれかに記載の衝撃防止機能を有する自在スパナ。
【発明の詳細な説明】
【技術分野】
【０００１】
本発明は主に自在スパナに関し、特に衝撃防止機能を有する自在スパナに関する。
【背景技術】
【０００２】
米国特許第８１３６４２９号（特許文献１）ＲＥＶＥＲＳＩＢＬＥ  ＭＯＮＫＥＹ  ＷＲＥＮＣＨに示すように、把持部（ｈａｎｄｌｅ）と、ヘッド部（ｈｅａｄ）と、可動あご（ｓｌｉｄａｂｌｅ  ｊａｗ）と、軸棒（ａｘｉａｌ  ｒｏｄ）と、ウォーム歯車（ｗｏｒｍ  ｇｅａｒ）とを備える。ヘッド部は把持部の一端に形成され、固定あご（ｆｉｘｅｄ  ｊａｗ）と、スライドレール（ｓｌｉｄｉｎｇ  ｒａｉｌ）と、収容溝（ｒｅｃｅｉｖｉｎｇ  ｓｌｏｔ）とを含む、可動あごの摺動棒（ｓｌｉｄｉｎｇ  ｒｏｄ）をスライドレールに滑設され、かつウォーム歯車と摺動棒とを互いに係合していて、可動あごが固定あごに対して滑り移動するように制御することによって、可動あごと固定あごとの間に形成する開口寸法を調節し、さまざまな寸法の被駆動具物品を挟むことができる。
【先行技術文献】
【特許文献】
【０００３】
【特許文献１】米国特許第８１３６４２９号
【発明の概要】
【発明が解決しようとする課題】
【０００４】
しかし、可動あごと固定あごによって被駆動部材を挟持して、把持部を回して被駆動部材を駆動する際、可動あごが不用意に作業環境の穴壁または作業機械なとの障害物にぶつかり、可動あごまたは障害物を損傷する恐れがある。
【０００５】
前述した公知構造の欠点について、考案人は前述公知構造すべての欠点を克服できる自在スパナを思料した次第である。
【課題を解決するための手段】
【０００６】
本発明の衝撃防止機能を有する自在スパナが公知の自在スパナが作業環境の障害物にぶつかり、可動あごまたは障害物を損傷する課題を解決できる。
【０００７】
本発明の衝撃防止機能を有する自在スパナの主な目的は、シャンク部と、ヘッド部と、可動あごと、緩衝具と、調節装置と、を含む自在スパナを提供する。ヘッド部は把持部の一端に形成していて、かつ、固定あごと、滑り溝と、受け入れ溝とを含み、滑り溝と受入穴が互いに連絡されている。可動あごは軸線に沿って、滑り移動自在にてヘッド部の滑り溝に取り付けていて、かつ固定あごに対向して移動でき、可動あごは第１側と第１側に対向する第２側とを有し、第１側はヘッド部の固定あごに対向し、可動あごは挟持部と、制動部と、第１接続部とを含む、挟持部と、制動部はそれぞれ可動あごの異なる両端に位置し、第１接続部を制動部に取り付けて、かつ可動あごの第２側に位置する。緩衝具は、緩衝部と、緩衝部の反対側にある第２接続部とを含む、第２接続部は離脱自在にて可動あごの第１接続部に接続する。調節装置を可動に前記受け入れ溝に収容していて、かつ調節装置はウォーム歯車を有し、ウォーム歯車と、可動あごの制動部が互いに係合する。
【０００８】
本発明の一実施例において、係る緩衝具は非金属部材から仕上げられている。
【０００９】
本発明の一実施例において、係る緩衝具は弾性部材から仕上げられている。
【００１０】
緩衝具と第２接続部とを一体にして互いに接続されている。
【００１１】
可動あごの制動部が軸線に沿って、第１幅を有し、係る緩衝具の緩衝部が軸線に沿って、第２幅を有する。第１幅は第２幅より大きい。
【００１２】
本発明の一実施例において、第１幅と第２幅との比例値は５．５を下らない。
【００１３】
本発明の一実施例において、第１幅と第２幅との比例値は５を下らない。
【００１４】
本発明の一実施例において、可動あごの第１接続部は孔部を設けていて、かつ軸線に沿って、可動あごの第２側から第１側に向かって伸ばす、緩衝具の第２接続部は突起部を形成していて、かつ軸線に沿って緩衝具の緩衝部より伸ばして、可動あごの第１接続部と釣り合いを形成する。
【００１５】
本発明のもう一つの実施例において、第１接続部は、第１ねじ山を有し、第１ねじ山を第１接続部の内周面に取り付け、第２接続部は第１ねじ山に対応する第２ねじ山を有し、第２ねじ山を第２接続部の外周面に取り付ける。
【００１６】
本発明の一実施例において、緩衝部は軸線に沿った方向に、半円形の横断面を有する。
【００１７】
本発明の衝撃防止機能を有する自在スパナが公知の自在スパナに対する技術効果は、可動あごと、固定あごを用いて、シャンク部を回し被駆動部材を駆動する際は、緩衝具の設置によって、可動あごと障害物が直接にぶつかりによって、損傷することを避ける。
【００１８】
その他の目的、長所および本発明の新規性は以下の詳細説明と関連図面によって、より明確することができる。
【図面の簡単な説明】
【００１９】
【図１】本発明の衝撃防止機能を有する自在スパナの第１実施例による立体外観図である。
【図２】本発明の衝撃防止機能を有する自在スパナの第１実施例による局所の立体外観図である。
【図３】本発明の図１から取った局所断面図である。
【図４】本発明の衝撃防止機能を有する自在スパナの第１実施例による使用を示す図であり、可動あごと固定あごとを合わせて被駆動部材を挟持する態様を示す。
【図５】図４の続き、シャンク部を回し、可動あごと固定あごとを合わせて被駆動部材を駆動し、緩衝具と障害物とを互いに接触する態様を示す図である。
【図６】本発明の衝撃防止機能を有する自在スパナの第２実施例による局所の立体分解図である。
【図７】本発明の衝撃防止機能を有する自在スパナの第３実施例による側面図である。
【発明を実施するための形態】
【００２０】
本発明による技術、手段ならびにその効果は、３つの実施例と図式を合わせて、以下の通り説明する。ただし、本発明の請求範囲はこれらの構造に制限されない。
【実施例】
【００２１】
図１ないし図５、本発明の衝撃防止機能を有する自在スパナの第１実施例による立体外観図と、局所立体外観図と、局所断面図と、使用の態様図とを参照する。本発明の衝撃防止機能を有する自在スパナは、把持部１０と、ヘッド部２０と、可動あご３０と、緩衝具４０と、調節装置５０と、を備える。
【００２２】
ヘッド部２０をシャンク部１０の一端に取り付ける。ヘッド部２０と、シャンク部１０とを金属部材より一体成型することが好ましい。ヘッド部２０は固定あご２１と、滑り溝２２と、受け入れ溝２３とを含む、滑り溝２２と受け入れ溝２３が互いに連絡されている。
【００２３】
可動あご３０は軸線Ｌに沿って、移動自在にヘッド部２０の滑り溝２２に滑り嵌めていて、かつ固定あご２１に対して移動できる。好ましくは、可動あご３０も金属部材から一体成型して仕上げる。可動あご３０は第１側３０１と、第１側３０１の反対側に設ける第２側３０２とを含む、第１側３０１はヘッド部２０の固定あご２１に対向しており、可動あご３０は挟持部３１と、制動部３２と、第１接続部３３とを含む、挟持部３１と制動部３２をそれぞれ可動あご３０の異なる両端に位置し、制動部３２は軸線Ｌに沿って第１幅Ｗ１を有し、第１接続部３３を制動部３２に取り付けていて、かつ可動あご３０の第２側３０２に位置する。本実施例において、第１接続部３３は孔部実施しており、軸線Ｌに沿って可動あご３０の第２側３０２より第１側３０１に伸ばしている。
【００２４】
緩衝具４０は、緩衝部４１と、緩衝部４１の反対側にある第２接続部４２とを含む、第２接続部４２は離脱自在にて可動あご３０の第１接続部３３に接続する。本実施例において、緩衝具４０は金属部材から仕上げられている。緩衝具４０を弾性部材から仕上げ、かつぶつかりのエネルギーを吸収できるものが好ましい。緩衝部４１と第２接続部４２とを一体にして互いに接続されている。緩衝部４１軸線Ｌの垂直方向に沿って、半円形の横断面を有する。緩衝部４１は軸線Ｌに沿って、第２幅Ｗ２を有し、制動部３２の第１幅Ｗ１が第２幅Ｗ２より広い。本実施例において、第１幅Ｗ１と第２幅Ｗ２との比例値は５．５を下らない。好ましくは、第１幅Ｗ１と第２幅Ｗ２との比例値は５を下らない。本実施例において、第２接続部４２は突起部であり、かつ軸線Ｌに沿って緩衝具４０の緩衝部４１から外部に伸ばして、可動あご３０の第１接続部３３と相互の釣り合いを形成する。
【００２５】
調節装置５０を可動にヘッド部２０の受け入れ溝２３に収容していて、かつ調節装置５０はウォーム歯車５１を有し、ウォーム歯車５１と、可動あご３０の制動部３２が互いに係合する。ウォーム歯車５１を回して、可動あご３０が固定あご２１に対して移動し、多種寸法の被駆動部材Ｄを挟持する（図４に示す）。
【００２６】
障害物Ｂ（例えば、作業機械）の作業環境において、可動あご３０と固定あご２１によって、被駆動部材Ｄを挟み込み、かつ時計方向に沿って、シャンク部１０を回し、被駆動具Ｄを回す（図５に示す）。もし、過大な回し角度によって、緩衝具４０の緩衝部４１が障害物Ｂにぶつかった場合は、緩衝具４０の材質と設置位置により、可動あご３０と障害物Ｂが直接にぶつかって損傷を避けられる。
【００２７】
引き続き図６、本発明の衝撃防止機能を有する自在スパナの第２実施例による局所断面図を参照する。本発明の第２実施例と第１実施例の構造は大体同じであり、異なる点として、第１接続部３３ａは第１ねじ山３３１ａを含む、第１ねじ山３３１ａが第１接続部３３ａの内周面に取り付けられ、第２接続部４２ａは第１ねじ山３３１ａと釣り合う第２ねじ山４２１ａを含む、第２ねじ山４２１ａを第２接続部４２ａの外周面に取り付けていて、かつ第１ねじ山３３１ａと互いにねじ締結して、第２接続部４２ａを離脱自在にて、第１接続部３３ａに接続する。
【００２８】
引き続き図７、本発明の衝撃防止機能を有する自在スパナの第３実施例による側面図を参照する。本発明の第３実施例と第１実施例の構造は大体同じであり、異なる点はとして、緩衝具４０を第１実施例と異なる可動あご３０ｂに取り付けることができる。
【００２９】
以上に説明したものは、本発明の好ましい実施例であり、本発明を実施する範疇に制限を加わるものではなく、本発明に基づいた数値的の変更又は等効果素子の置き換え、若しくは本発明の特許請求の範囲による変更又は修整とも発明案の特許範疇に含めるものである。
【符号の説明】
【００３０】
１０        把持部
２０        ヘッド部
２１        固定あご
２２        滑り溝
２３        受け入れ溝
３０        可動あご
３０１      第１側
３０２      第２側
３１        挟持部
３２        制動部
３３        第１接続部
４０        緩衝具
４１        緩衝部
４２        第２接続部
３３ａ      第１接続部
３３１ａ    第１ねじ山
４２ａ      第２接続部
４２１ａ    第２ねじ山
３０ｂ      可動あご
５０        調節装置
５１        ウォーム歯車
Ｗ１        第１幅
Ｗ２        第２幅
Ｌ          軸線
Ｄ          被駆動具
Ｂ          障害物
【図１】
2017052012.tif 000003
【図２】
2017052012.tif 000004
【図３】
2017052012.tif 000005
【図４】
2017052012.tif 000006
【図５】
2017052012.tif 000007
【図６】
2017052012.tif 000008
【図７】
2017052012.tif 000009
【手続補正書】
【提出日】平成28年10月18日(2016.10.18)
【手続補正１】
【補正対象書類名】特許請求の範囲
【補正対象項目名】全文
【補正方法】変更
【補正の内容】
【特許請求の範囲】
【請求項１】
把持部と、ヘッド部と、可動あごと、緩衝具と、調節装置とを備えた、衝撃防止機能を有する自在スパナであって、
前記把持部と、
前記ヘッド部を前記把持部の一端に設けていて、かつ前記ヘッド部に固定あごと、滑り溝と、受け入れ溝とを含む、前記滑り溝と前記受け入れ溝が互いに連絡され、
前記可動あごは軸線に沿って、滑り移動自在にて前記ヘッド部の前記滑り溝に取り付けていて、かつ前記固定あごに対向して移動でき、前記可動あごは第１側と前記第１側に対向する第２側とを有し、前記第１側は前記ヘッド部の前記固定あごに対向し、前記可動あごは挟持部と、制動部と、第１接続部とを含む、前記挟持部と、前記制動部はそれぞれ前記可動あごの異なる両端に位置し、前記第１接続部を前記制動部に取り付けて、かつ前記第２側に位置し、
前記緩衝具は緩衝部と、前記緩衝部の反対側にある第２接続部とを含む、前記第２接続部は離脱自在にて前記可動あごの前記第１接続部に接続でき、
前記調節装置は可動に前記受け入れ溝に収容していて、かつウォーム歯車を有し、前記ウォーム歯車と、前記可動あごの前記制動部が互いに係合することを特徴とする、衝撃防止機能を有する自在スパナ。
【請求項２】
そのうち、前記緩衝具は非金属部材から仕上げることを特徴とする、請求項１記載の衝撃防止機能を有する自在スパナ。
【請求項３】
そのうち、前記緩衝具は弾性部材から仕上げることを特徴とする、請求項１記載の衝撃防止機能を有する自在スパナ。
【請求項４】
そのうち、前記緩衝部と、前記第２接続部とを一体にして接続することを特徴とする、請求項１記載の衝撃防止機能を有する自在スパナ。
【請求項５】
そのうち、前記可動あごの前記制動部が軸線に沿って、第１幅を有し、前記緩衝具の前記緩衝部が軸線に沿って、第２幅を有し、前記第１幅が前記第２幅より大きいことを特徴とする、請求項１ないし４のいずれかに記載の衝撃防止機能を有する自在スパナ。
【請求項６】
そのうち、前記第１幅と前記第２幅との比例値は５．５以上であることを特徴とする、請求項５記載の衝撃防止機能を有する自在スパナ。
【請求項７】
そのうち、前記第１幅と前記第２幅との比例値は５以上であることを特徴とする、請求項５記載の衝撃防止機能を有する自在スパナ。
【請求項８】
そのうち、前記可動あごの前記第１接続部は孔部を設けていて、かつ軸線に沿って、前記可動あごの前記第２側から前記第１側に向かって伸ばし、前記緩衝具の前記第２接続部は突起部を形成していて、かつ軸線に沿って前記緩衝具の前記緩衝部より伸ばして、前記可動あごの前記第１接続部と釣り合いを形成することを特徴とする、請求項１ないし４のいずれかに記載の衝撃防止機能を有する自在スパナ。
【請求項９】
そのうち、前記第１接続部は、第１ねじ山を有し、前記第１ねじ山を前記第１接続部の内周面に取り付け、前記第２接続部は前記第１ねじ山に対応する第２ねじ山を有し、前記第２ねじ山を前記第２接続部の外周面に取り付けることを特徴とする、請求項８記載の衝撃防止機能を有する自在スパナ。
【請求項１０】
そのうち、前記緩衝部は軸線の垂直方向にそって、半円形の横断面を有することを特徴とする、請求項１ないし４のいずれかに記載の衝撃防止機能を有する自在スパナ。